(57)【要約】【課題】機能パネルと傾斜屋根との間の空間から効率的に集熱の行うことができる集熱システムを提案する。【解決手段】本発明の集熱システムは、傾斜屋根１の上方に複数の機能パネル３，３…を配した機能パネル群４と、機能パネル群４と傾斜屋根１との間に形成される空気層７，７…と、吸気口９０と、気密構造８とを備える。吸気口９０は、空気層７，７…内の空気を吸い込むように傾斜屋根１に開口する。気密構造８は、空気層７，７…の気密性を高める。機能パネル群４は、気密構造８が位置する第一領域Ａ１と、気密構造８が位置しない第二領域Ａ２とを備える。第一領域Ａ１は、吸気口９０を中心とした仮想円Ｃ１内の領域を含む。【選択図】図６
2016011549.tif 000002
【特許請求の範囲】
【請求項１】
建物の傾斜屋根の上方に、複数の機能パネルを並設して形成される機能パネル群と、
前記機能パネル群と前記傾斜屋根との間に形成される空気層と、
前記空気層内の空気を前記建物内に吸い込むように前記傾斜屋根に開口させた吸気口と、
前記空気層の気密性を高めるように構成された気密構造と、を備え、
前記機能パネル群は、
前記気密構造が位置する第一領域と、
前記気密構造が位置しない第二領域とを備え、
前記第一領域は、
前記吸気口を中心として描く仮想円内の領域を含んだ領域であることを特徴とする集熱システム。
【発明の詳細な説明】
【技術分野】
【０００１】
本発明は、集熱システムに関し、詳しくは、機能パネルと傾斜屋根との間の空間から集熱を行う技術に関する。
【背景技術】
【０００２】
特許文献１には、太陽電池モジュールと屋根面との間に空気流通層を介在させ、この空気流通層で暖められた空気を、屋根面に設けた開口部を通じて、建物内に引き込むように構成した集熱システムが開示されている。この集熱システムでは、屋根面に開口部を多数設けることで、空気流通層から大量の熱を集めるように構成している。
【先行技術文献】
【特許文献】
【０００３】
【特許文献１】特開２０１１−１７１３号公報
【発明の概要】
【発明が解決しようとする課題】
【０００４】
本発明は、吸気口を多数設けずとも、機能パネルと傾斜屋根との間の空間から効率的に集熱を行うことのできる集熱システムを提供することを、目的とする。
【課題を解決するための手段】
【０００５】
前記課題を解決するために、本発明を、下記構成を具備する集熱システムとする。
【０００６】
本発明は、機能パネル群と、空気層と、吸気口と、気密構造とを備えた集熱システムである。前記機能パネル群は、建物の傾斜屋根の上方に、複数の機能パネルを並設して形成される。前記空気層は、前記機能パネル群と前記傾斜屋根との間に形成される。前記吸気口は、前記空気層内の空気を前記建物内に吸い込むように前記傾斜屋根に開口させる。前記気密構造は、前記空気層の気密性を高めるように構成される。前記機能パネル群は、前記気密構造が位置する第一領域と、前記気密構造が位置しない第二領域とを備える。前記第一領域は、前記吸気口を中心として描く仮想円内の領域を含んだ領域である。
【発明の効果】
【０００７】
本発明は、空間の一部領域に気密性を与えることで、吸気口を多数設けずとも、機能パネルと傾斜屋根との間の空間から効率的に集熱を行うことができ、しかも、施工の手間やシステム構成のコストを抑えることができるという効果を奏する。
【図面の簡単な説明】
【０００８】
【図１】本発明の第一実施形態の集熱システムを備えた建物の概略斜視図である。
【図２】本発明の第一実施形態の集熱システムで用いる機能パネルの取付構造を示す分解斜視図である。
【図３】図１のＸ−Ｘ線断面図である。
【図４】図１のＹ−Ｙ線断面図である。
【図５】図５Ａは図３の要部拡大図であり、図５Ｂは図３の他の要部拡大図であり、図５Ｃは図４の要部拡大図であり、図５Ｄは図４の他の要部拡大図である。
【図６】本発明の第一実施形態の集熱システムで用いる機能パネル群の概略斜視図である。
【図７】本発明の第二実施形態の集熱システムで用いる機能パネル群の概略斜視図である。
【図８】本発明の第三実施形態の集熱システムで用いる機能パネル群の概略斜視図である。
【図９】本発明の第四実施形態の集熱システムを備えた建物の概略分解斜視図である。
【図１０】本発明の第四実施形態の集熱システムの要部を示す鉛直断面図である。
【図１１】本発明の第四実施形態の集熱システムの他の要部を示す鉛直断面図である。
【発明を実施するための形態】
【０００９】
本発明を、添付図面に示す実施形態に基づいて説明する。
（第一実施形態）
図１〜図６には、本発明の第一実施形態の集熱システムを示している。
【００１０】
本実施形態の集熱システムは、図１等に示すように、建物の傾斜屋根１の上方に複数の機能パネル３，３…を配置する構造である。機能パネル３は、本実施形態では太陽光発電パネルであるが、太陽光温水生成パネル等の他のパネルも採用可能である。
【００１１】
以下の本文中において、傾斜屋根１の傾斜した方向を「軒棟方向Ｄ１」といい、軒棟方向Ｄ１の下側を「軒側」、軒棟方向Ｄ１の上側を「棟側」という。平面視において軒棟方向Ｄ１と直交する方向を「左右方向Ｄ２」という。
【００１２】
機能パネル３，３…は、軒棟方向Ｄ１に沿って複数枚（本実施形態では９枚）が並設され、且つ、左右方向Ｄ２に沿って複数枚（本実施形態では６枚）が並設されている。即ち、機能パネル３，３…は、軒棟方向Ｄ１と左右方向Ｄ２に沿って９×６のマトリクス状に並設されている。
【００１３】
全ての機能パネル３，３…が一連に繋がることで、傾斜屋根１の全体を覆う機能パネル群４を形成している。
【００１４】
図２等に示すように、本実施形態の集熱システムでは、建物の傾斜屋根１の上面に、複数のベース板１０を配置する。ベース板１０は、軒棟方向Ｄ１に沿って複数連設し、且つ、左右方向Ｄ２に沿って複数連設する。
【００１５】
各ベース板１０上には、左右方向Ｄ２が長手方向となるように、支持桟２をネジ等で固定する。支持桟２は、軒棟方向Ｄ１に貫通する貫通孔２０を有する。貫通孔２０は、通風及び通水が可能な孔である。
【００１６】
本実施形態では、軒棟方向Ｄ１に所定の間隔をあけて複数の支持桟２，２…が位置し、且つ、左右方向Ｄ２に沿って複数の支持桟２，２…が一直線状に連続する。機能パネル３は、軒棟方向Ｄ１に隣接する支持桟２，２間に、架け渡して取り付ける。
【００１７】
矩形状の外形を有する機能パネル３の周縁には、矩形枠状のフレーム３０を取り付けている。
【００１８】
図５Ａ〜図５Ｄに示すように、フレーム３０は、機能パネル３の縁部を嵌め込んで支持する断面コ字状の支持部３０ａと、支持部３０ａから下方に延長した形状の下枠部３０ｂとを有する。
【００１９】
図３に示すように、傾斜屋根１上に複数の機能パネル３，３…を配置した状態で、最も軒側に位置する支持桟２には、軒先カバー６０と、最も軒側に位置する機能パネル３のフレーム３０とが、図示略のボルトを用いて取付固定される。
【００２０】
この支持桟２上において、取付固定された軒先カバー６０とフレーム３０の間には、軒棟方向Ｄ１に所定の隙間５０が位置し、隙間５０には上方からカバー６２を嵌め込んでいる。
【００２１】
最も棟側に位置する支持桟２には、最も棟側に位置する機能パネル３のフレーム３０と、棟先カバー６１とが、図示略のボルトを用いて取付固定される。
【００２２】
この支持桟２上において、取付固定されたフレーム３０と棟先カバー６１との間には、軒棟方向Ｄ１に所定の隙間５１が位置する。隙間５１の上方からカバー６３を嵌め込むことで、隙間５１の上方は水密に封止される。
【００２３】
本実施形態では、棟先カバー６１と隙間５１の間に気密材８０を介在させることで、隙間５１を気密に封止する気密構造８を設けている（図５Ｂ参照）。気密材８０を用いた気密構造８については、改めて説明する。
【００２４】
支持桟２，２…のうち、最も軒側の支持桟２と最も棟側の支持桟２を除いた他の支持桟２には、その支持桟２の軒側に位置する機能パネル３のフレーム３０と、棟側に位置する機能パネル３のフレーム３０とが、図示略のボルトで取付固定される。
【００２５】
この支持桟２上において、取付固定されたフレーム３０，３０間には、軒棟方向Ｄ１に所定の隙間５２が位置する。隙間５２に上方からカバー６４を嵌め込むことで、隙間５２の上方は水密に封止される。
【００２６】
本実施形態では、カバー６４と、カバー６４の棟側及び軒側に位置する機能パネル３，３のフレーム３０，３０との間に、気密材８１を介在させることで、隙間５２を気密に封止する気密構造８を設けている（図５Ａ参照）。気密材８１を用いた気密構造８については、改めて説明する。
【００２７】
更に、図４や図５Ｃに示すように、左右方向Ｄ２に隣接する機能パネル３，３のフレーム３０，３０間には、隣接する機能パネル３，３間を気密に封止する気密材８２を介在させている。
【００２８】
気密材８２は、隣接する機能パネル３，３のフレーム３０，３０間を水密に封止するカバー６５の裏面側に配されている。気密材８２を用いた気密構造８については、改めて説明する。
【００２９】
更に、図４や図５Ｄに示すように、左右方向Ｄ２の端に位置する機能パネル３のフレーム３０と、この機能パネル３に隣接して傾斜屋根１上に位置する側面カバー６６との間には、気密材８３を介在させている。気密材８３を用いた気密構造８については、改めて説明する。
【００３０】
本実施形態の取付構造で複数の機能パネル３，３…を傾斜屋根１に取り付けたとき、各機能パネル３は傾斜屋根１に対して平行に位置し、各機能パネル３と傾斜屋根１との間には、図３や図４に示す空気層７が形成される。
【００３１】
軒棟方向Ｄ１に隣接する機能パネル３，３のうち、軒側の機能パネル３の下方にある空気層７と、棟側の機能パネル３の下方にある空気層７とは、支持桟２が有する貫通孔２０（図２参照）を通じて、軒棟方向Ｄ１に連通する。
【００３２】
左右方向Ｄ２に隣接する機能パネル３，３においても、互いの下方に位置する空気層７，７同士は、左右方向Ｄ２に連通する。
【００３３】
即ち、本実施形態では、軒棟方向Ｄ１及び左右方向Ｄ２に沿ってマトリクス状に並設される多数の機能パネル３，３…が、互いの下方に位置する空気層７，７…同士を、軒棟方向Ｄ１及び左右方向Ｄ２に連通させて位置する。
【００３４】
加えて、本実施形態の集熱システムでは、空気層７，７…の空気を強制的に流す送風機構９を備えている。
【００３５】
送風機構９は、図３に示すように、傾斜屋根１の一部を開口させた吸気口９０と、吸気口９０から下方に連続する吸気路９１と、吸気路９１内に空気を引き込む図示略のファンとを備える。吸気口９０は、最も棟側に位置する機能パネル３の下方に位置する。
【００３６】
前記ファンを駆動させることで、多数の機能パネル３，３…を組み合わせた機能パネル群４全体の下方に位置する空気層７，７…において、図中に矢印で示すような空気の流れＦ１が発生する。
【００３７】
空気の流れＦ１によって、多数の機能パネル３，３…の裏側で暖められた空気が、最も棟側の領域にある一箇所の吸気口９０に向けて移動し、吸気口９０を通じて建物内に集められる。
【００３８】
本実施形態の集熱システムでは、前述の各気密材８０，８１，８２，８３を用いた気密構造８により、機能パネル群４と傾斜屋根１との間に位置する空気層７，７…に気密性を与えているので、空気層７，７…の熱を効率よく集めることが可能である。
【００３９】
ここで、本実施形態の集熱システムでは、気密構造８を機能パネル群４の全体に設けておらず、図６に示す第一領域Ａ１にだけ、気密構造８を設けている。図６中で黒く塗り潰した部分が、気密構造８を設ける部分である。
【００４０】
本実施形態の第一領域Ａ１は、機能パネル群４のうち、吸気口９０を中心として描かれる半径Ｒ１の仮想円Ｃ１（図４中の想像線）の領域である。第二領域Ａ２は、機能パネル群４のうち第一領域Ａ１を除いた領域であり、本実施形態では、半径Ｒ１の仮想円Ｃ１の外側の領域である。
【００４１】
第一領域Ａ１においては、機能パネル３と棟先カバー６１との間の気密性を気密材８０等で与え、隣接する機能パネル３，３間の気密性を気密材８１，８２等で与え、更に、機能パネル３と側面カバー６６との間の気密性を気密材８３等で与えている。
【００４２】
第二領域Ａ２には、これらの気密材８０，８１，８２，８３を配していない。つまり、第二領域Ａ２においては、隣接する機能パネル３，３間を気密材８１，８２等で封止しておらず、隣接する機能パネル３，３間は、第一領域Ａ１のような気密性を有さない。同様に、第二領域Ａ２においては、機能パネル３と側面カバー６６との間を気密材８３等で封止しておらず、機能パネル３と側面カバー６６との間は、第一領域Ａ１のような気密性を有さない。
【００４３】
なお、本実施形態では、棟先カバー６１の全体が第一領域Ａ１に位置している。そのため、機能パネル３と棟先カバー６１との間は、全域に亘って気密材８０等で封止している。
【００４４】
以上のように、本実施形態の集熱システムでは、機能パネル群４に、気密構造８が存在する第一領域Ａ１と、気密構造８が存在しない第二領域Ａ２とを設けている。第二領域Ａ２においては、吸気口９０から空気を引き込んで空気層７，７…が負圧になると、隣接する機能パネル３，３間の部分や、機能パネル３と側面カバー６６との間の部分から、外気が比較的流入しやすい。
【００４５】
しかし、吸気口９０を中心として半径Ｒ１の第一領域Ａ１内では、各機能パネル３の周縁に気密構造８を設けている。そのため、第一領域Ａ１内では、隣接する機能パネル３，３間の部分や、機能パネル３と側面カバー６６との間の部分や、機能パネル３と棟先カバー６１との間の部分から、空気層７，７…内に外気が流入することが防止される。
【００４６】
気密な第一領域Ａ１内を吸気口９０に向けて移動する空気は、吸気口９０に近づくほど温度を効率的に上昇させたうえで、吸気口９０を通じて取り込まれるため、高効率での集熱が実現される。
【００４７】
仮想円Ｃ１の半径Ｒ１は、実験等に基づいて、適切な値を設定する。
【００４８】
例えば、空気層７，７…内の空気を、１５０ｍ３／ｈの空気量で吸気口９０内に引き込むシステムであれば、半径Ｒ１は３．２ｍに設定する。
【００４９】
実験によれば、吸気口９０から引き込む空気量が１５０ｍ３／ｈである場合、半径Ｒ１＝３．２ｍ付近を境として、これよりも大きく半径Ｒ１を設定しても、吸気口９０から引き込まれる空気の温度は殆ど変化しない。そのため、半径Ｒ１＝３．２ｍと設定すればよい。
【００５０】
なお、引き込む空気量の設定に応じて、半径Ｒ１の設定は変更されることが好ましい。一般的に、引き込む空気量が少ないと、空気層７，７…内での空気の移動速度が遅くなり、少ない移動距離で空気の温度は上限に達する。空気層７，７…内で達する上限の温度は、引き込む空気量の大小に依らず略同一であるため、引き込む空気量が例えば１００ｍ３／ｈである場合、半径Ｒ１は３．２ｍより小さくてよく、引き込む空気量が５０ｍ３／ｈである場合は、半径Ｒ１の設定は更に小さくてよい。
【００５１】
本実施形態の集熱システムによれば、吸気口９０の設置個所を最小限（本実施形態では一箇所）に抑え、且つ、気密構造８を設置する領域を最小限度に抑えたうえで、吸気口９０からの集熱量は、最大限に高めることが可能となる。
（第二実施形態）
図７には、本発明の第二実施形態の集熱システムを、概略的に示している。
【００５２】
本実施形態の基本的な構成は、既述した第一実施形態の基本的な構成と同一であるため、以下においては、第一実施形態とは相違する構成についてのみ、図７に基づいて詳述する。
【００５３】
本実施形態の集熱システムでは、第一領域Ａ１を、吸気口９０を中心として描く仮想円Ｃ１の領域を含み、且つ、この仮想円Ｃ１よりも僅かに大きな領域となるように設けている。
【００５４】
具体的には、半径Ｒ１＝３．２ｍの仮想円Ｃ１内に全部が位置する機能パネル３，３…と、仮想円Ｃ１内に一部が位置する機能パネル３，３…を対象とし、対象となる各機能パネル３の全周縁を含むように、第一領域Ａ１を設定している。
【００５５】
第一領域Ａでは、機能パネル３と棟先カバー６１との間を気密に設け、隣接する機能パネル３，３間を気密に設け、機能パネル３と側面カバー６６との間を気密に設けている。
【００５６】
第二領域Ａ２は、機能パネル群４のうち、この第一領域Ａ１を除いた領域である。第一領域Ａ１と第二領域Ａ２との境界線は、図７中に想像線で示すように、仮想円Ｃ１の更に径方向外側に位置する。第二領域Ａ２においては、隣接する機能パネル３，３間を気密に設けておらず、機能パネル３と側面カバー６６との間を気密に設けていない。
【００５７】
本実施形態においても、吸気口９０を中心として半径Ｒ１の領域を含んだ第一領域Ａ１内では、各機能パネル３の周縁に気密構造８を設けているため、第一領域Ａ１内を通じて移動する空気を吸気口９０から取り込むことで、高効率での集熱が実現される。
（第三実施形態）
図８には、本発明の第三実施形態の集熱システムを、概略的に示している。
【００５８】
本実施形態の基本的な構成は、既述した第一実施形態の基本的な構成と同一であるため、第一実施形態と共通の構成については説明を省略し、第一実施形態とは相違する構成について詳述する。
【００５９】
本実施形態の集熱システムにおいては、吸気口９０を、第一実施形態のように最も棟側に位置する機能パネル３の下方に配するのではなく、機能パネル群４のうち、軒棟方向Ｄ１及び左右方向Ｄ２の中間領域に位置する機能パネル３の下方に配している。
【００６０】
吸気口９０の上方に位置する機能パネル３は、軒棟方向Ｄ１において棟側から４枚目かつ軒側から６枚目であり、左右方向Ｄ２において左側から４枚目かつ右側から３枚目である。
【００６１】
この場合においても、機能パネル群４のうち、吸気口９０を中心として描かれる半径Ｒ１の仮想円Ｃ１（図８中の想像線）の領域を、気密性を与える第一領域Ａ１とする。機能パネル群４のうち、第一領域Ａ１を除いた領域が、第一領域Ａ１のような気密性を与えない第二領域Ａ２である。
【００６２】
なお、本実施形態のように吸気口９０を配する場合においても、第一領域Ａ１を、仮想円Ｃ１を含んでこれよりも大きく設けることが可能である。
【００６３】
具体的には、例えば第二実施形態のように、仮想円Ｃ１内に全部又は一部が位置する機能パネル３，３…を対象とし、これら各機能パネル３の全周縁を含むように、第一領域Ａ１を設定することが可能である。
【００６４】
また、棟先カバー６１と機能パネル３，３…との間の気密性については、その部分が仮想円Ｃ１内に位置するか否かに関わらず、気密性を与えることも好ましい。つまり、棟先カバー６１と機能パネル３との間の領域については、その領域が仮想円Ｃ１内に位置するか否かに関わらず、その領域全部を含むように第一領域Ａ１を設定することも好適である。
（第四実施形態）
図９〜図１１には、本発明の第三実施形態の集熱システムを、概略的に示している。
【００６５】
図９には、本実施形態の集熱システムを備えた傾斜屋根１を示している。図１０は、本実施形態の集熱システムを備えた傾斜屋根１の要部を、左右方向Ｄ２に平行な鉛直面で切断した断面である。図１１は、本実施形態の集熱システムを備えた傾斜屋根１の要部を、軒棟方向Ｄ１に平行な鉛直面で切断した断面である。
【００６６】
以下において、既述した第一実施形態と共通の構成については、同一符号を付して詳しい説明を省略する。
【００６７】
図９等に示すように、本実施形態の集熱システムでは、建物の傾斜屋根１の上面に、凹凸パネル１１を配置する。凹凸パネル１１は、上方に凸となるように屈曲した凸部１１０と、下方に凸となるように屈曲した凹部１１１とを、左右方向Ｄ２に沿って交互に有する。
【００６８】
各凸部１１０は、軒棟方向Ｄ１を長手方向とした一直線状の外形を有する。左右方向Ｄ２に隣接する凸部１１０，１１０同士は、凹部１１１を挟んで、互いに平行に位置する。
【００６９】
各凹部１１１は、軒棟方向Ｄ１を長手方向とした一直線状の外形を有する。左右方向Ｄ２に隣接する凹部１１１，１１１同士は、凸部１１０を挟んで、互いに平行に位置する。
【００７０】
凹凸パネル１１上には、図１０に示す取付構造２１を用いて、各機能パネル３を取り付ける。図９においては、取付構造２１の記載を省略している。
【００７１】
取付構造２１は、凹凸パネル１１の凸部１１０上に固定されるベース２１０と、ベース２１０から上方に突出するボルト２１１を有する。ボルト２１１には連結具２１２を連結させる。
【００７２】
図１０に示すように、軒棟方向Ｄ１に隣接する機能パネル３，３間には、取付構造２１が位置する。各機能パネル３が備えるフレーム３０は、該機能パネル３よりも下方に突出した下枠部３０ｂを有する。
【００７３】
各機能パネル３のフレーム３０が有する下枠部３０ｂを、取付構造２１のベース２１０上に載置する。軒棟方向Ｄ１に隣接する機能パネル３，３のフレーム３０，３０間には、所定の隙間５２が生じる。この隙間５２に、ボルト２１１や連結具２１２が位置する。
【００７４】
隙間５２には、上方からカバー６７を嵌め込む。カバー６７は、機能パネル３，３のフレーム３０，３０に押し当たる気密材８４を備える。
【００７５】
本実施形態では、気密材８４を備えたカバー６７を、軒棟方向Ｄ１に隣接する機能パネル３，３のフレーム３０，３０間に嵌め込むことで、隙間５２を気密に封止する気密構造８を形成する。
【００７６】
同様に、本実施形態では、左右方向Ｄ２に隣接する機能パネル３，３のフレーム３０，３０間に、上方からカバー６８を被せる（図９参照）。カバー６８は、カバー６７が備える気密材８４と同様の気密材を備え、カバー６８を嵌め込むことで、機能パネル３，３のフレーム３０，３０間を気密に封止する。
【００７７】
また、本実施形態の気密構造８は、図９や図１１に示すように、機能パネル群４の外周を囲む平面視コ字状の外周カバー６９を備える。外周カバー６９は、一対の側面カバー６９０，６９０と、側面カバー６９０，６９０間に位置する棟部カバー６９１とを有する。
【００７８】
側面カバー６９０は、左右方向Ｄ２の端に位置する機能パネル３の、外側方に位置する。側面カバー６９０は、凹凸パネル１１の凹部１１１内に載置される載置片６９０ａと、載置片６９０ａの側端から上方に起立した起立片６９０ｂとを有する（図１１参照）。起立片６９０ｂは、隣接する機能パネル３のフレーム３０に対して、ネジ等を用いて固定する。これにより、機能パネル３の下方に位置する空気層７と、空気層７の外側方に位置する屋外空間との間を、気密に封止する。
【００７９】
棟部カバー６９１は、最も棟側に位置する機能パネル３，３…の、棟側に位置する。棟部カバー６９１は、凹凸パネル１１が交互に有する複数の凸部１１０，１１０…及び凹部１１１，１１１…と合致する凹凸形状を有する。
【００８０】
棟部カバー６９１を、最も棟側に位置する各機能パネル３のフレーム３０に対して、ネジ等を用いて固定することで、各機能パネル３の下方に位置する空気層７と、空気層７の棟側に位置する屋外空間との間を、気密に封止する。
【００８１】
本実施形態では、これら各カバー６７，６８，６９を、機能パネル群４に対して上方から嵌め込むことで、気密構造８を形成する。
【００８２】
各カバー６７，６８，６９は、一体に連結されている。具体的には、外周カバー６９が有する一対の側面カバー６９０，６９０間に架け渡すように、複数のカバー６７，６７…が連結され、且つ、外周カバー６９が有する棟部カバー６９１と最も軒側のカバー６７との間に架け渡すように、複数のカバー６８，６８…が連結されている。
【００８３】
互いに平行である複数のカバー６７，６７…と、互いに平行である複数のカバー６８，６８…とは、平面視において格子状に交差する。
【００８４】
以上のように、本実施形態の集熱システムでは、格子状に連結したカバー６７，６８，６９を機能パネル群４に被せて固定することで、機能パネル群４を、気密構造８が存在する第一領域Ａ１と、気密構造８が存在しない第二領域Ａ２とに区分けている。
【００８５】
図９中では、第一領域Ａ１と第二領域Ａ２の境界を、想像線で示している。第一領域Ａ１は、カバー６７，６８，６９が被せられる領域であり、第二領域Ａ２は、カバー６７，６８，６９が被せられない領域である。
【００８６】
第一領域Ａ１は、傾斜屋根１上で開口する吸気口９０を中心として描かれる半径Ｒ１の仮想円Ｃ１を含み、この仮想円Ｃ１よりも僅かに大きく設定した領域である。
【００８７】
図示略のファンを駆動させて吸気口９０から空気を引き込むと、機能パネル群４全体の下方に位置する空気層７，７…において、図中に矢印で示すような、吸気口９０に向かう空気の流れＦ１が発生する。
【００８８】
本実施形態の集熱システムにおいても、気密構造８によって、機能パネル群４の下方に位置する空気層７，７…に気密性を与えているので、空気層７，７…の熱を効率よく集めることができる。しかも、機能パネル群４の全体に気密構造８を設ける必要がなく、第一領域Ａ１にカバー６７，６８，６９を被せるだけでよいため、施工の手間やコストを抑えることが可能である。
【００８９】
以上、添付図面に基づいて説明したように、本発明の各実施形態の集熱システムは、機能パネル群４と、空気層７，７…と、吸気口９０と、気密構造８とを備える。
【００９０】
機能パネル群４は、建物の傾斜屋根１の上方に、複数の機能パネル３，３…を並設して形成される。空気層７，７…は、機能パネル群４と傾斜屋根１との間に形成される。吸気口９０は、空気層７，７…内の空気を建物内に吸い込むように傾斜屋根１に開口させる。気密構造８は、空気層７，７…の気密性を高めるように構成される。
【００９１】
機能パネル群４は、気密構造８が位置する第一領域Ａ１と、気密構造８が位置しない第二領域Ａ２とを備える。第一領域Ａ１は、吸気口９０を中心として描く仮想円Ｃ１内の領域を含んだ領域である。
【００９２】
したがって、本発明の各実施形態の集熱システムによれば、機能パネル群４の裏側で暖められた空気層７，７…内の空気を、気密に構成された第一領域Ａ１を通じて、吸気口９０に吸い込むことができる。気密に設けた第一領域Ａ１内を移動する空気は、吸気口９０に近づくにつれて温度を効率的に上昇させてゆき、最終的に高温となった空気が、吸気口９０を通じて建物内に供給される。
【００９３】
各実施形態の集熱システムでは、吸気口９０を多数設けずとも、気密に設けた第一領域Ａ１を通じて空気層７，７…内の空気を移動させ、高温に至った空気を建物内に供給することができる。しかも、機能パネル群４の全体を気密に設ける必要がなく、第二領域Ａ２には気密構造８を備えない構造であるから、施工の手間やシステム構成のコストを抑えながら、機能パネル群４の裏側で蓄積される熱を、高効率で集めることができる。
【００９４】
本発明を添付図面に示す実施形態に基づいて説明したが、本発明は前記実施形態に限定されない。本発明の意図する範囲内であれば、適宜の設計変更を行うことが可能である。
【符号の説明】
【００９５】
１    傾斜屋根
３    機能パネル
４    機能パネル群
７    空気層
８    気密構造
９０  吸気口
Ａ１  第一領域
Ａ２  第二領域
Ｃ１  仮想円
【図１】
2016011549.tif 000003
【図２】
2016011549.tif 000004
【図３】
2016011549.tif 000005
【図４】
2016011549.tif 000006
【図５】
2016011549.tif 000007
【図６】
2016011549.tif 000008
【図７】
2016011549.tif 000009
【図８】
2016011549.tif 000010
【図９】
2016011549.tif 000011
【図１０】
2016011549.tif 000012
【図１１】
2016011549.tif 000013